(57)【要約】      （修正有）【課題】取り付けが簡易で、使用に便利で、動作が確実な磁性反発式ヒンジを提供する。【解決手段】本考案の磁性反発式ヒンジは、第１接続部材１、第２接続部材２を少なくとも含み、支軸４により枢着並置し、第１接続部材１の収容溝１１に第１磁性部材１４、活動部材１２及び第２磁性部材１５を設け、且つ活動部材１２は、第１回転軸３４により接続ロッド３の一端に枢着し、第２接続部材２は、支軸４から離れる箇所に第２回転軸３６により接続ロッド３の他端に枢着し、活動部材１２を第１接続部材１及び接続ロッド３の軸回転時の軸回転角度に応じさせ、同時に第１磁性部材１４及び第２磁性部材１５に互いに接近することによって相対した磁性反発力を発生させ、第１接続部材１及び第２接続部材２の両者を互いに反発させて互いに移動させ、自動ドアクローズ及びドアストップ機能を形成させる。【選択図】図３
0003206967.tif 000002
【実用新案登録請求の範囲】
【請求項１】
第１接続部材、第２接続部材及び接続ロッドを少なくとも含み、前記第１接続部材、前記第２接続部材は、支軸により枢着並置し、且つ前記支軸を軸として軸回転し、
前記第１接続部材は、
第１凹溝を有する収容溝と、
前記収容溝内に滑動設置され、且つ第１回転軸により前記接続ロッドの一端に枢着し、前記第１凹溝に対応する第２凹溝を含む活動部材と、
前記第１凹溝に設置される第１磁性部材と、前記第２凹溝に設置される第２磁性部材と、を少なくとも含み、
前記第１磁性部材と前記第２磁性部材の両者の相対側は、同一極性であり、前記第２接続部材は、前記支軸から離れる箇所に第２回転軸により前記接続ロッドの他端に枢着し、前記活動部材を前記第１接続部材及び前記接続ロッドの軸回転時の軸回転角度に応じさせ、同時に前記第１磁性部材及び前記第２磁性部材に互いに接近することによって相対した磁性反発力を発生させ、前記第１接続部材及び前記第２接続部材の両者を互いに反発させて互いに移動させる磁性反発式ヒンジ。
【請求項２】
前記第１接続部材、前記第２接続部材は、それぞれドア、ドア枠に接続し、前記第１回転軸及び前記第２回転軸の中心の間隔は、前記支軸及び前記第１回転軸の中心の間隔より大きい請求項１に記載の磁性反発式ヒンジ。
【請求項３】
前記接続ロッドは、軸回転時に前記支軸の中心まで振動移動し、前記第１接続部材及び前記第２磁性部材に最小の間隔を形成させることができる請求項２に記載の磁性反発式ヒンジ。
【請求項４】
前記接続ロッドは、回転時に前記支軸の中心を越えて、前記第１接続部材を軸回転後に位置決めを形成させることができる請求項３に記載の磁性反発式ヒンジ。
【請求項５】
前記第１接続部材は、更に限位部を含み、前記第２接続部材は、対応する前記限位部を設置する位置決め部を更に含み、前記限位部を第１接続部材に伴って軸回転させて前記位置決め部に当接させる請求項１に記載の磁性反発式ヒンジ。
【考案の詳細な説明】
【技術分野】
【０００１】
本考案は、ヒンジに関し、特に、磁性反発力が自動ドアクローズ及びドアストップを形成する機能を有するヒンジに関する。
【背景技術】
【０００２】
現在、ヒンジは、２つの相互に枢着する接続部材を利用し、それぞれドア枠とドアに接続し、ドアをドア枠により回転させることができるが、ヒンジは位置決めの機能を有さないので、ドアがノーマルオープン状態を保持する必要とする時、ドア又は床板に別途ドアストップ取り付ける必要があり、相当に不便である。
【０００３】
更に、従来のドアストップの固定ベースは、壁面又は床板に取り付け、室内に既存の装飾美観を破壊し、且つドアストップは、磁性ボタンを固定する取り付け方式において、ドアの既存の設計及び外観も破壊する。
【先行技術文献】
【特許文献】
【０００４】
【特許文献１】特開2006-112523号公報
【考案の概要】
【考案が解決しようとする課題】
【０００５】
本考案の目的は、磁力の反発特性を利用して自動ドアクローズ及びドアストップの機能を形成することができ、且つ取り付けが簡易で、使用に便利で、動作が確実である目的を達成する磁性反発式ヒンジを提供することにある。
【課題を解決するための手段】
【０００６】
上記に目的を達成する為、本考案の磁性反発式ヒンジは、第１接続部材、第２接続部材及び接続ロッドを少なくとも含み、該第１接続部材、第２接続部材は、支軸により枢着並置し、且つ該支軸を軸として軸回転し、該第１接続部材は、第１凹溝を有する収容溝と、該収容溝内に滑動設置され、且つ第１回転軸により該接続ロッドの一端に枢着し、該第１凹溝に対応する第２凹溝を含む活動部材と、第１凹溝に設置される第１磁性部材と、該第２凹溝に設置される第２磁性部材と、を少なくとも含み、該第１磁性部材と該第２磁性部材の両者の相対側は、同一極性であり、該第２接続部材は、該支軸から離れる箇所に第２回転軸により該接続ロッドの他端に枢着し、該活動部材を該第１接続部材及び該接続ロッドの軸回転時の軸回転角度に応じさせ、同時に該第１磁性部材及び該第２磁性部材に互いに接近することによって相対した磁性反発力を発生させ、該第１接続部材及び該第２接続部材の両者を互いに反発させて互いに移動させる。
【０００７】
前記の磁性反発式ヒンジにおいて、該第１接続部材、第２接続部材は、それぞれドア、ドア枠に接続し、該第１回転軸及び第２回転軸の中心の間隔は、支軸及び第１回転軸の中心の間隔より大きい。
【０００８】
前記磁性反発式ヒンジにおいて、該接続ロッドは、軸回転時に支軸中心まで振動移動し、第１位施位部材及び第２磁性部材に最小の間隔を形成させることができる。
【０００９】
前記磁性反発式ヒンジにおいて、該接続ロッドは、回転時に支軸中心を越えて、第１接続部材を軸回転後に位置決めを形成させることができる。
【００１０】
前記磁性反発式ヒンジにおいて、該第１接続部材は、更に限位部を含み、該第２接続部材は、対応する該限位部を設置する位置決め部を更に含み、該限位部を第１接続部材に伴って軸回転させて該位置決め部に当接させる。
【考案の効果】
【００１１】
本考案の磁性反発式ヒンジは、磁力の反発特性を利用して自動ドアクローズ及びドアストップの機能を形成することができ、且つ取り付けが簡易で、使用に便利で、動作が確実である目的を達成する。
【図面の簡単な説明】
【００１２】
【図１】本考案の磁性反発式ヒンジの立体外観図である。
【図２】本考案の磁性反発式ヒンジの内部構造図である。
【図３】本考案がドアとドア枠に接続時の断面説明図である。
【図４】本考案の磁性反発式ヒンジの立体分解図である。
【図５】本考案のドアが第１接続部材の軸回転を連動する動作説明図である。
【図６】本考案の磁性反発式ヒンジの軸回転動作の立体外観図である。
【図７】本考案の磁性反発式ヒンジの軸回転動作の内部構造説明図である。
【図８】本考案の第１接続部材の軸回転位置決め動作説明図である。
【図９】図８のＡ部位の拡大図である。
【考案を実施するための形態】
【００１３】
図１〜図５を参照し、本考案の磁性反発式ヒンジは、第１接続部材１、第２接続部材２及び接続ロッド３を少なくとも含み、該第１接続部材１、第２接続部材２は、２つの支軸４により枢着並置され、且つ支軸４は、第１接続部材１の軸孔１９及び第２接続部材２の軸孔２３に枢着し、支軸４を軸として利用して軸回転することができる。
【００１４】
該第１接続部材１は、第１凹溝１１１及び溝孔１１２を有する収容溝１１と、該収容溝１１内に滑動設置され、且つ該接続ロッド３の一端３１に枢着し、該第１凹溝１１１に対応する第２凹溝１２１及び軸孔１２２を含む活動部材１２と、第１凹溝１１１に設置される第１磁性部材１４と、該第２凹溝１２１に設置される第２磁性部材１５と、収容溝１１開口に被せられ、ボルト１８により孔１７１及び孔１１３を経由させて螺合固定する蓋板と、を少なくとも含み、該第１磁性部材１４と該第２磁性部材１５の両者の相対側は、同一極性である。
【００１５】
該第２接続部材２は、該支軸４から離れる箇所に軸孔２４を設け、且つ該接続ロッド３の他端３２に枢着する。
【００１６】
該接続ロッド３の一端３１は、溝孔１１２を経由して収容溝１１内に伸入し、該一端３１は、第１軸孔３３を設け、且つ第１軸孔３３は、第１回転軸３４により活動部材１２の軸孔１２２に枢着し、接続ロッド３の他端３２は、第２軸孔３５を設け、且つ第２軸孔３５は、第２回転軸３６により第２接続部材２の軸孔２４に枢着氏、活動部材１２及び接続ロッド３を第１接続部材１の回転に応じて連動させる。
【００１７】
本考案の実際の使用時、図３〜図７を参照し、該第１接続部材１は、第１接続部１３を設け、第２接続部材２は、第２接続部２１を設け、それぞれドア５、ドア枠６に接続し、接続ロッド３の第１回転軸３４及び第回転軸３６中心の間隔は、支軸４及び第１回転軸３４中心の間隔より大きい。使用者は、図５に示すような第１方向Ｄ１にドア５を開く時、活動部材１２は、該第１接続部材１及び該接続ロッド３の軸回転時の軸回転角度に応じ、該収容溝１１中に移動され、同時に該第１磁性部材１４及び該第２磁性部材１５に互いに接近することによって相対した磁性反発力を発生させ、接続ロッド３が軸回転時に支軸４中心まで振動移動でき、第１磁性部材１４及び第２磁性部材１５に最小の間隔を形成させ、更に大きな磁性反発力を発生させる。この時、使用者がドア５を開放する場合、第１磁性部材１４及び該第２磁性部材１５は、元々互いに接近して発生する磁性反発力により、該第１接続部材１及び該第２接続部材２の両者を反発させて相互に移動させ、ドア５を第２方向Ｄ２に軸回転を行わせ、自動ドアクローズ状態を達成する（図３参照）。
【００１８】
本考案の第１接続部材１は、更に限位部１６を含み、第２接続部材２は、更に位置決め部２２を含み、それは、限位部１６に対応して設置され、使用者が図５に示すような第１方向Ｄ１にドア５を開く時、接続ロッド３は軸回転中に支軸４の中心を越え、図８及び図９に示すように、第１磁性部材１４及び第２磁性部材１５の相互の磁性反発力により発生する動力が、第１接続部材１を軸回転させ、且つ限位部１６は、第１接続部材１に伴って軸回転して位置決め部２２に当接し、限位部１６により位置決め部２２に当接し、第１接続部材１及びドア１５を軸回転後に位置決めを形成させ、ドアストップ機能を達成させ、且つ簡易な取り付け、使用に便利、動作が確実な効果を具備させる。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２０】
１  第１接続部材
１１  収容溝
１１１  第１凹溝
１１２  溝孔
１１３  孔
１２  活動部材
１２１  第２凹溝
１２２  軸孔
１３  第１接続部
１４  第１磁性部材
１５  第２磁性部材
１６  限位部
１７  蓋板
１７１  孔
１８  ボルト
１９  軸孔
２  第２接続部材
２１  第２接続部
２２  位置決め部
２３  軸孔
２４  軸孔
３  接続ロッド
３１  一端
３２  他端
３３  第１軸孔
３４  第１回転軸
３５  第２軸孔
３６  第２回転軸
４  支軸
５  ドア
６  ドア枠
Ｄ１  第１方向
Ｄ２  第２方向
【図１】
0003206967.tif 000003
【図２】
0003206967.tif 000004
【図３】
0003206967.tif 000005
【図４】
0003206967.tif 000006
【図５】
0003206967.tif 000007
【図６】
0003206967.tif 000008
【図７】
0003206967.tif 000009
【図８】
0003206967.tif 000010
【図９】
0003206967.tif 000011